(57)【要約】【課題】浚渫作業時に掴み物の撹乱とか水中移動が発生せず、河川又は海水に濁りを生じたり周辺水域に濁りが拡散・移流することを防止し、更にグラブバケット自体の水中での抵抗を減少させて降下時間を短縮し、グラブバケットの内圧上昇に起因する変形，破損を引き起こすことがない密閉式浚渫用グラブバケットを得ることを目的とする。【解決手段】吊支ロープ１０で上部フレーム３を連結し、該上部フレーム３に軸支した上シーブ６と、下部フレーム２に軸支した下シーブ７との間に開閉ロープ８を掛け回してシェル１を開閉可能にしたグラブバケットにおいて、上記シェル１の上部に、開閉式の特殊ゴム蓋１７を有する蓋体１６が配設されたシェルカバー１２を密接配置した密閉式浚渫用グラブバケットを基本構成とする。【選択図】図１
2005178960.tif 000002
【特許請求の範囲】
【請求項１】
吊支ロープで上部フレームを連結し、該上部フレームに軸支した上シーブと、下部フレームに軸支した下シーブとの間に開閉ロープを掛け回してシェルを開閉可能にしたグラブバケットにおいて、
上記シェルの上部に、開閉式の特殊ゴム蓋を有する蓋体が配設されたシェルカバーを密接配置したことを特徴とする密閉式浚渫用グラブバケット。
【請求項２】
吊支ロープで上部フレームを連結し、該上部フレームに軸支した上シーブと、下部フレームに軸支した下シーブとの間に開閉ロープを掛け回してシェルを開閉可能にしたグラブバケットにおいて、
上記シェルの上部に、左右対称なシェルカバー上段、シェルカバー中段、シェルカバー下段とから構成され、上記シェルカバー上段とシェルカバー中段との間に開閉式の特殊ゴム蓋を有する複数個の蓋体が配設されたシェルカバーを密接配置したことを特徴とする密閉式浚渫用グラブバケット。
【請求項３】
上記蓋体は、グラブバケットの内側から外側に掴み物が流出することを可能とし、掴み物が外側から内側に流入することはできない逆止弁を構成してなる請求項１又は２に記載の密閉式浚渫用グラブバケット。
【発明の詳細な説明】
【技術分野】
【０００１】
本発明はグラブバケットに関し、特には港湾，河川，湖沼等における含水比の高いヘドロ，土砂等をバケット内に密閉することにより、掴み作業時における撹乱とか水中移動時，運搬船への積み込み時の濁りや飛散を効果的に防止するとともに、水中での抵抗を減少させて降下時間を短縮し、掴み物を所定の容量以上に掴んだ場合でも内圧上昇に起因する変形，破損を引き起こすことがない密閉式浚渫用グラブバケットに関するものである。
【背景技術】
【０００２】
従来のグラブバケットの正面図を示す図８において、１，１は左右対称構成にかかる一対のシェル、２は下部フレーム、３は上部フレーム、４，４はタイロッドであり、シェル１，１は下部フレーム２に軸５，５を介して回動自在に軸支され、また左右のタイロッド４，４はその下端部がシェル１，１に、上端部が上部フレーム３に回動自在に軸支されている。下部フレーム２及び上部フレーム３にはそれぞれ所定個数の下シーブ７と上シーブ６が回転自在に軸支されていて、これらの下シーブ７と上シーブ６間には左右対称で２本の開閉ロープが掛け回され、シェル１，１の開閉操作をする。開閉ロープは上部フレーム３の上面に配置されたガイドローラ９を介して上方へ延び、浚渫船などのクレーンから吊支される。上部フレーム３の上面には浚渫用バケット全体を前記クレーンから昇降自在に吊支するための２本の吊支ロープが吊環１１を介して上部フレーム３に連結されている。
【０００３】
特許文献１には夫々回動自在なアームを介して吊下げられるとともに各々が掬取開口の上部で回動自在に枢支され、閉じた状態において前記掬取開口の端面が互いに密着する一対のシェルと、このシェルの背部開口を塞ぐ防塵プレートと、この防塵プレートにあけられた透孔に接続されたフィルタとを備えてなるグラブバケットが記載されている。更に特許文献２には、シェルとロッドとを枢着する軸にシェル側面の上方の開口部を覆うようなカバーの一端部を回転自在に取付け、このカバーの表面とロッドとロッド上の案内及び上下部滑車を経由して開きワイヤーを配設し、カバーの裏面と下部滑車箱とをシェルを経由して閉じワイヤーを配設し、これらのワイヤーを介してシェルの開閉運動に同期させてカバーの開閉を行わせると共にバケットの全閉状態において対向するシェルの面にパッキンを設けたことにより掴み物の流出を防止したグラブバケットが開示されている。
【特許文献１】実開昭６１−６５０７９号公報
【特許文献２】特公昭５３−１８７８４号公報
【発明の開示】
【発明が解決しようとする課題】
【０００４】
しかしながら、従来のグラブバケットを利用した浚渫船による浚渫作業時には、ヘドロ等の掴み物の撹乱とか水中移動が発生しやすく、更にヘドロ運搬船への積み込み時に河川又は海水に大きな濁りを生じてしまうという課題がある。従来は上記に対処して周辺水域に濁りが拡散・移流することを防止するため、浚渫現場に汚濁防止膜を設置する手段が採用されているが、潮流の早い海域では浚渫作業中に該汚濁防止膜が流されてしまったり、グラブバケットと汚濁防止膜が接触して膜が破損する等の事故が発生して濁りの拡散・移流を完全に防止することができないという問題がある。
【０００５】
また、シェルを左右に広げたまま水中を降下する際には、グラブバケット自体の水中の抵抗が増加して降下時間が長くなるという問題があり、更にグラブバケットが掴み物を所定の容量以上に掴んだ場合には、この掴み物の逃げ道がないことによりグラブバケットの内圧が上昇して該グラブバケットの変形とか破損を引き起こしてしまう惧れがある。
【０００６】
そこで本発明は上記に鑑みて、浚渫作業時に掴み物の撹乱とか水中移動が発生せず、ヘドロ運搬船への積み込み時にも河川又は海水に濁りを生じたり周辺水域に濁りが拡散・移流することを防止するとともに、グラブバケット自体の水中での抵抗を減少させて降下時間を短縮し、グラブバケットが掴み物を所定の容量以上に掴んだ場合でも該グラブバケットの内圧上昇に起因する変形，破損を引き起こすことがない密閉式浚渫用グラブバケットを得ることを目的とするものである。
【課題を解決するための手段】
【０００７】
本発明は上記目的を達成するために、吊支ロープで上部フレームを連結し、該上部フレームに軸支した上シーブと、下部フレームに軸支した下シーブとの間に開閉ロープを掛け回してシェルを開閉可能にしたグラブバケットにおいて、上記シェルの上部に、開閉式の特殊ゴム蓋を有する蓋体が配設されたシェルカバーを密接配置した密閉式浚渫用グラブバケットを基本構成とする。具体的には、上記シェルの上部に、左右対称なシェルカバー上段、シェルカバー中段、シェルカバー下段とから構成され、上記シェルカバー上段とシェルカバー中段との間に開閉式の特殊ゴム蓋を有する複数個の蓋体が配設されたシェルカバーを密接配置してある。上記蓋体は、グラブバケットの内側から外側に掴み物が流出することを可能とし、掴み物が外側から内側に流入することはできない逆止弁を構成している。
【発明の効果】
【０００８】
本発明によって得られた密閉式浚渫用グラブバケットによれば、シェルを広げたまま水中を降下する際には蓋体の特殊ゴム蓋が上方に開いて水が上方に抜けるので、水中での抵抗が減少して降下時間を短縮することができる。グラブバケットが掴み物を所定容量以上に掴んだ場合には、内圧の上昇に伴って蓋体の特殊ゴム蓋が上方に開き、内圧が降下してグラブバケット自体の変形とか破損が引き起こされる惧れがない。グラブバケットの水中での移動時には、外圧によって蓋体の特殊ゴム蓋が閉じられるので、掴み物の撹乱とか水中移動は発生せず、河川又は海水に濁りを生じたり周辺水域に濁りが拡散・移流することは完全に防止することができる。
【発明を実施するための最良の形態】
【０００９】
以下本発明にかかる密閉式浚渫用グラブバケットの最良の実施形態を従来の構成と同一の構成部分に同一の符号を付して説明する。図１は本発明にかかるグラブバケットの正面図、図２は同側面図であり、図中の１，１は左右対称構成にかかる一対のシェル、２は下部フレーム、３は上部フレーム、４，４はタイロッドである。シェル１，１は下部フレーム２に軸５を介し回動自在に軸支され、左右のタイロッド４，４はその下端部がシェル１，１に、上端部が上部フレーム３に回動自在に軸支されている。
【００１０】
上部フレーム３には上シーブ６が回転自在に軸支されており、下部フレーム２には下シーブ７が回転自在に軸支されている。これらのシーブ６，７間には図示を省略する開閉ロープが掛け回され、シェル１，１の開閉操作をする。図２に示すように開閉ロープ８，８は上部フレーム３の上面に配置されたガイドローラ９，９を介して上方へ延び、浚渫船などのクレーン（図示略）から吊支される。上部フレーム３の上面には浚渫用バケット全体を前記クレーンから昇降自在に吊支するための２本の吊支ロープ１０，１０が吊環１１，１１を介して上部フレーム３に連結されている。
【００１１】
１２は本発明の特徴的構成体である密閉式シェルカバーであり、このシェルカバー１２はシェル１，１の上部に密接配置されており、図３に示すように該シェルカバー１２は左右対称にシェルカバー上段１３，１３、シェルカバー中段１４，１４、シェルカバー下段１５，１５とから構成され、上記シェルカバー上段１３とシェルカバー中段１４との間に空気抜き穴を有する蓋体１６，１６が複数個配設されている。この蓋体１６の空気抜き穴には開閉式の特殊ゴム蓋１７，１７が取付けられている。図３の例では蓋体１６，１６が４個配設されており、図中右方の蓋体１６，１６は開いた状態として図示してある。尚、この蓋体１６の個数は４個に限定されるものではない。
【００１２】
上記の蓋体１６，１６は、掴み物がグラブバケットの内側から外側に流出することは可能であるが、外側から内側に流入することはできない構造となっている。つまり蓋体１６，１６はヘドロ等の掴み物の流入と流出を規制する逆止弁を構成している。
【００１３】
図４は上記蓋体１６の構成を示す分解斜視図であり、平面視がコ字状の上フレーム２０と下フレーム２１との間に特殊ゴム蓋１７を挟み込み、ワッシャ２５を介在してボルト２３，２３及びナット２４，２４を用いて特殊ゴム蓋１７が上フレーム２０と下フレーム２１間に締結固定され、更に特殊ゴム蓋１７の一端部上下を細長フレーム２６，２７で挟んでワッシャ２５を介在して、最下部に配置した中空部２８ａを有する角形フレーム２８の一辺にボルト２９，２９及びナット３０，３０を用いて締結固定されている。従って上フレーム２０と下フレーム２１及び特殊ゴム蓋１７とからなる蓋体１６は、角形フレーム２８上で細長フレーム２６，２７を支軸として上方向にのみ開閉可能となっている。
【００１４】
かかる密閉式浚渫用グラブバケットによれば、浚渫船による河川あるいは海域での浚渫時に、上部フレーム３に連結されている吊支ロープ１０，１０を浚渫船のクレーンに吊支して、該クレーンから２本の吊支ロープ１０，１０を昇降させることによって上下のシーブ６，７間に掛け回された開閉ロープ８が回動して、図５，図６に示すようにシェル１，１の開閉操作が行われる。この動作時にシェル１，１を左右に広げたまま水中を降下する際には、図５中に示すように蓋体１６，１６の特殊ゴム蓋１７，１７を上方に開くことにより、グラブバケット内の水が上方に抜けて水中での抵抗が減少するので、降下時間を短縮することができる。
【００１５】
次にグラブバケットが掴み物を所定容量以上に掴んだ場合には、内圧の上昇に伴って同様に蓋体１６，１６の特殊ゴム蓋１７，１７が上方に開くので、掴み物の逃げ道ができることにより内圧が降下して該グラブバケット自体の変形及び破損が引き起こされる惧れがない。そしてグラブバケットの水中での移動時には、外圧によって蓋体１６，１６の特殊ゴム蓋１７，１７は閉じられており、従って掴み物の撹乱とか水中移動は発生せず、ヘドロ運搬船への積み込み時にも河川又は海水に濁りを生じることなく、周辺水域に濁りが拡散・移流することは完全に防止される。
【００１６】
図７は本発明で用いたシェルカバー１２の変形例を示しており、このシェルカバー１２は左右対称にシェルカバー上段１３，１３、シェルカバー中段１４，１４、シェルカバー下段１５，１５とから構成されていることは図３の構成と一致しているが、シェルカバー上段１３とシェルカバー中段１４との間に空気抜き穴を有する蓋体１６，１６が左右一対、合計２個配設されている。蓋体１６の空気抜き穴に取付けられた開閉式の特殊ゴム蓋１７，１７の構造自体は前記例と同一である。図７中の右方の蓋体１６は開いた状態として図示してある。
【００１７】
かかる変形例の密閉式浚渫用グラブバケットによっても蓋体１６の特殊ゴム蓋１７を上方に開くことにより水中での抵抗を減少させて降下時間は短縮され、グラブバケットが掴み物を所定容量以上に掴んだ場合でも内圧が降下してグラブバケット自体の変形及び破損は発生せず、グラブバケットの水中での移動時には外圧によって蓋体１６の特殊ゴム蓋１７が閉じられて掴み物の撹乱とか水中移動は発生せず、河川又は海水に濁りを生じたり周辺水域に濁りが拡散・移流することを防止することができる。
【産業上の利用可能性】
【００１８】
以上詳細に説明したように、蓋体の特殊ゴム蓋が上方に開くことによって水中を降下する際の抵抗が減少して降下時間が短縮され、グラブバケットが掴み物を所定容量以上に掴んだ場合でも内圧が降下してグラブバケット自体の変形，破損が引き起こされず、グラブバケットが水中で移動する際には外圧によって蓋体の特殊ゴム蓋が閉じられるので、掴み物の撹乱とか水中移動が発生せず、河川又は海水に濁りを生じたり周辺水域に濁りが拡散・移流することは完全に防止されるので、河川とか海域で浚渫作業を行う各種の浚渫船に広く適用することができる。
【図面の簡単な説明】
【００１９】
【図１】本発明にかかるグラブバケットの正面図。
【図２】図１の側面図。
【図３】密閉式シェルカバーのみ取り出して示す斜視概要図。
【図４】蓋体の構成を示す分解斜視図。
【図５】グラブバケットの開閉動作時の正面図。
【図６】図５の側面図。
【図７】本発明の変形例を示す斜視概要図。
【図８】従来のグラブバケットを示す正面図。
【符号の説明】
【００２０】
１…シェル
２…下部フレーム
３…上部フレーム
４…タイロッド
６…上シーブ
７…下シーブ
８…開閉ロープ
９…ガイドローラ
１０…吊支ロープ
１１…吊環
１２…シェルカバー
１３…シェルカバー上段
１４…シェルカバー中段
１５…シェルカバー下段
１６…蓋体
１７…特殊ゴム蓋
２０…上フレーム
２１…下フレーム
２５…ワッシャ
２６，２７…細長フレーム
２８…角形フレーム
【図１】
2005178960.tif 000003
【図２】
2005178960.tif 000004
【図３】
2005178960.tif 000005
【図４】
2005178960.tif 000006
【図５】
2005178960.tif 000007
【図６】
2005178960.tif 000008
【図７】
2005178960.tif 000009
【図８】
2005178960.tif 000010